(57)【要約】      （修正有）【課題】簡単に，安全に，経済的に使用できるとともに，自由に開閉する支脚部を設けることにより，任意の傾きでスタンドを立てることができる，紙質又は樹脂膜片等の板状材を使用した，軽くて丈夫な簡易スタンドを提供する。【解決手段】厚めと薄めの，少なくとも３枚の紙質又は樹脂膜片等の板状材を貼り合わせて作る，自由に開閉角度を調節できる支脚部支脚部を設けた簡易スタンドである。この簡易スタンド全面に，さらに，表示窓付きのフレームを貼りつけたり，透明樹脂板を取りつけたりすることにより，各種のスタンドとして使用することも可能である。【選択図】図４
0003107732.tif 000002
【実用新案登録請求の範囲】
【請求項１】
厚めと薄めの，少なくとも３枚の紙質又は樹脂膜片等の板状材を貼り合わせて作る開脚可能な支脚部を設けた簡易スタンドである。
【請求項２】
請求項１に記載する簡易スタンドは，写真等を展示するための厚めの台紙と開脚可能な支脚部を形成するため，当該台紙の高さと同等の長さを有する２枚以上の長方形の紙質又は樹脂膜片等の板状材で構成されている。
これらの板状材のうち，厚めの少なくとも１枚については支脚部として使用し，また残る薄めの１枚の板状材は，中間部で二つ折りにし，支脚部と台紙に接合することにより，補助的な支脚部の役割を担うとともに，支脚部をより丈夫でしなやかなものとするほか，必要角度での開脚の保持，一定角度以上の開脚の防止を可能とする。
このようにして，自由に開脚角度を調節でき，一定角度以上の開脚の防止が可能な支脚部を設けたことを特徴とする請求項１記載の簡易スタンドである。
【請求項３】
請求項２記載の長方形の紙質又は樹脂膜片等の板状材のうち，厚めの，少なくとも１枚は，全体長の下からおおよそ５分の３の部分は，支脚部として使用するため，糊付けすることなく，おおよそ５分の２の部分は，台紙に貼りつけるための糊代とする。
また，残る薄めの１枚については，全体長の２分の１の部分で二つ折りにすることにより，逆Ｖ字型となった帯状の板について，両側面の外側部分を台紙及び支脚部と接合するため，両側面の下からおおよそ３分の２の部分を糊代として使用し，片側は，支脚部として使用する板状材に貼りつけ，片側は，台紙に貼りつける。
これらにより，台紙と支脚部で形成される支脚部の折曲部分周辺において，糊付けされない遊びの空間が生じることによりできる丈夫でしなやかな支脚部を設けたことを特徴とする請求項１記載の簡易スタンドである。
【考案の詳細な説明】
【技術分野】
【０００１】  この考案は，写真立て等のスタンドを使用する際，スタンドを支えるため，台紙の裏に，自由に開閉する支脚部を設けることにより，任意の傾きでスタンドを立てることができる，紙質又は樹脂膜片等の板状材を使用した，軽くて，丈夫な簡易スタンドに関するものである。
【背景技術】
【０００２】  従来，写真立て等のスタンドは，木，樹脂製の支脚部を有したものがあった。
【考案が解決しょうとする課題】
【０００３】  これらは，次のような問題点があった。
写真立て等のスタンドは，フレーム部と支脚部が別々に作られ，木，樹脂製の支脚部を蝶番でフレーム部に取り付けたものが多い。
このため，写真等を立てるだけなのに，必要以上に頑丈な構造になっており，値段も高くなっている。
また，スタンドの裏面がごちゃごちゃしており，後ろや横からみた場合，フレーム部と支脚部に一体性がなく，汚い印象が強く，デザイン的にも問題があるように思われる。
本考案は，以上のような欠点をなくし，簡単に，安全に，経済的に使用でき，表からみても，裏や横からみても美しいように考えたものである。
【課題を解決するための手段】
【０００４】（１）厚めの台紙の裏面の中央部に，少なくとも２枚の紙質又は樹脂膜片等の長方形の板状材を貼り合わせて作る支脚部を貼る。
（２）開脚可能な支脚部を形成するため，（１）の台紙の高さと同等の長さを有する２枚以上の長方形の紙質又は樹脂膜片等の板状材を用意する。
これらの板状材のうち，厚めの少なくとも１枚については支脚部として使用し，また残る薄めの１枚の板状材は，中間部で二つ折りにし，支脚部と台紙に接合する。
（３）（２）の長方形の紙質又は樹脂膜片等の板状材のうち，厚めの，少なくとも１枚は，全体長の下からおおよそ５分の３の部分は，支脚部として使用するため，糊付けすることなく，おおよそ５分の２の部分は，台紙に貼りつけるための糊代とする。
また，残る薄めの１枚については，全体長の２分の１の部分で二つ折りにすることにより，逆Ｖ字型となった帯状の板について，両側面の外側部分を台紙及び支脚部と接合するため，両側面の下からおおよそ３分の２の部分を糊代として使用し，片側は支脚部として使用する板状材に貼りつけ，片側は台紙に貼りつける。
（４）これらにより，台紙と支脚部で形成される支脚部の折曲部分周辺において，糊付けされない遊びの空間が生じることによりできる丈夫でしなやかな支脚部が形成されるとともに，美観にも優れた支脚部が形成される。
【考案を実施するための最良の形態】
【０００５】  以下，本考案を実施するための最良の形態について説明する。
（１）写真等のスタンドを立てる場合，台紙の裏側の支脚部を引き出す。
（２）写真等のスタンドの傾き角度は，支脚部の開きの大小により調節する。補助支脚により，一定以上の開脚は防止されるとともに，必要な角度での開脚が保持される。
（３）写真等のスタンドをしまう場合は，支脚部を閉じる。
【考案の効果】
【０００６】  デジカメ，プリンターの普及等により，写真の愛好者が増えている。
写真は，撮る楽しみ，見る楽しみ，飾る楽しみ，人にあげる楽しみがあり，そのための器材は整っているが，簡単に，安全に，経済的に使用できるスタンドは見当たらない。
また，ポストカード，絵手紙，絵葉書等も，人気があるものの，簡単に，安全に，経済的に使用できるスタンドは見当たらない。
市販されている各種スタンドは，表面はきれいであっても，裏面をみると，写真等を嵌め込むための装置や，複雑な構造をもった支脚部により，凹凸のある雑然としたものが多く，美観を損ねている。
本考案の簡易スタンドは，裏面の帯状の支脚部が開いたり閉じたりする構造で，使用時には，支脚部がきれいな弧を描き，また，非使用時には，支脚部が台紙と一体となり，ほぼ平になるなど，デザイン的にも，すっきりしている。
本考案は，写真等を見る楽しみ，飾る楽しみ，人にあげる楽しみを，より大きくするために考えたもので，
（１）軽く，薄く，丈夫である。
（２）何回でも使える。
（３）しまったり持ち歩いたり送ったりする際，平らな状態になるので，扱いやすい。また，何枚でも重ねることができる。
（４）安価である。
等の特徴をもっている。
さらに，この簡易スタンドの応用例としては，
（１）表台紙と支脚部からなる簡易スタンドは，これ自体，目的に合ったサイズのものを用意することにより，表台紙に写真等の展示物を展示することができる。
また，より大きな展示物を展示する場合は，適当なサイズの簡易スタンドを展示物の裏側に貼りつけことにより，展示が可能である。
（２）表台紙に，さらに表示窓等を付けた台紙を貼ったり，透明樹脂板を貼ったり，サイズを変えることにより，写真，ポストカード，プライスカード，メニューカード，ネームプレートとしても使用できる。
▲１▼  図５に示すとおり，表示窓付きのフレームを取りつける。
この場合，フレームの裏側四辺のうち，三辺を糊付けし，一辺は，写真等の展示物の出し入れ口として使用する。
▲２▼  図６に示すとおり，表示窓と同じサイズの小片を用意することにより，表示窓の蓋部（カバー）として使用することも考えられる。
この場合，蓋を取り出しやすくするため，蓋の裏側に紐状のものを取り付け，蓋をする場合は，この紐を表に出しておく。
▲３▼  図７に示すとおり，表台紙と同じサイズの透明の樹脂板を，表台紙の少なくとも上部の一辺をのりづけすることにより，各種サイズの写真等を展示することが可能である。
▲４▼  図８に示すとおり，表台紙全面に簡単に剥がせる両面シールを貼っておき，必要に応じシールを剥がし，写真等を貼ることも可能である。
▲５▼  図９に示すとおり，表台紙に，リボン，カラーごむ糸等をたすき掛けにすることにより，各種サイズの写真等を差し込み，展示する。
（３）この簡易スタンドは，紙を重ね合わせた薄くて軽いものから，厚紙やプラスチック板等をつかった重厚なもの，さらに，表紙部分を木，アルミ等の金属，ガラス等に変えることにより，簡素なスタンドからより高級なスタンドまで，用途に合わせ多種多様な簡易スタンドとすることができる。
（４）この簡易スタンドは，台紙と支脚部から構成されているが，支脚部だけを独立させて使用することも可能である。
▲１▼  同等の長さを有する厚薄２枚の紙質又は樹脂膜片等の板状材を用意すし，厚い方の１枚は，支脚部として，また，薄い方の１枚は，２分の１の高さで，二つ折りにし，台紙と支脚部とを接合する補助支脚として使用する。
▲２▼  厚い方の片面には，下部からおおよそ５分の３の高さまでを，補助支脚と接合させるための糊代として，補助支脚と貼り合わせ，上部からおおよそ５分の１の高さまでを，台紙と接合させるための糊代として，両面テープ等のシールを貼っておく。
薄い方の板状材の二つ折りにした両側面には，それぞれ下部からおおよそ５分の４の高さまでを，台紙と支脚部とに接合させるための糊代とし，片側は，支脚部と貼り合わせ，片側は，台紙と接合させるための糊代として，両面テープ等のシールを貼っておく。
▲３▼  このようにして，できあがった１枚の支脚部は，必要に応じて，貼り合わせられた厚薄２枚の板状材のそれぞれに付いている両面テープ等のシールをはがし，展示するものの裏面に貼ることによってスタンドとして使用が可能である。
【図面の簡単な説明】
【０００７】
【図１】  本考案の簡易スタンドの正面図である。
【図２】  本考案の簡易スタンドの背面図である。
【図３】  本考案の簡易スタンドの側面図である。
【図４】  本考案の簡易スタンドの斜視図である。
【図５】  本考案の簡易スタンドの表台紙に表示窓付きフレームを付けた場合の背面図である。
【図６】  本考案の簡易スタンドの表台紙に表示窓付きフレームと表示窓用の蓋（カバー）を付けた場合の背面図である。
【図７】  本考案の簡易スタンドの表台紙に透明の樹脂板を付けた場合の斜視図である。
【図８】  本考案の簡易スタンドの表台紙に両面シールを貼った場合の背面図である。
【図９】  本考案の簡易スタンドの表台紙に布製のリボン，カラーのゴム糸等を付けた場合の背面図である。
【符号の説明】
【０００８】  １  台紙
２  支脚部（スタンド）
３  補助支脚部
４  表示窓
５  表示窓用の蓋（カバー）
６  表示窓用の蓋の紐
７  透明樹脂板
８  両面シール
９  布製のリボン，カラーのゴム糸等
【図１】
0003107732.tif 000003
【図２】
0003107732.tif 000004
【図３】
0003107732.tif 000005
【図４】
0003107732.tif 000006
【図５】
0003107732.tif 000007
【図６】
0003107732.tif 000008
【図７】
0003107732.tif 000009
【図８】
0003107732.tif 000010
【図９】
0003107732.tif 000011
【手続補正書】
【提出日】平成16年10月18日(2004.10.18)
【手続補正１】
【補正対象書類名】実用新案登録請求の範囲
【補正対象項目名】全文
【補正方法】変更
【補正の内容】
【実用新案登録請求の範囲】
【請求項１】
厚めと薄めの，少なくとも３枚の紙質又は樹脂膜片等の板状材を貼り合わせて作る開脚可能な支脚部を設けた簡易スタンドであり，
（１）表表紙にするための厚めの台紙及び開脚可能な支脚部を形成するための，当該台紙の高さと同等の長さを有し横幅の狭い２枚以上の長方形の紙質又は樹脂膜片等の板状材で構成する。
（２）これらの板状材のうち，少なくとも１枚は，表表紙として使用し，厚めで横幅の狭い少なくとも１枚は支脚部として使用し，また残る薄めの横幅の狭い１枚は，中間部で二つ折りにし，下端部で支脚部及び台紙に接合することにより，必要角度での開脚の保持，一定角度以上の開脚の防止等の補助的な支脚部の役割を担わせる。
以上の構成からなる簡易スタンド。
【請求項２】
請求項１記載の長方形の紙質又は樹脂膜片等の板状材において，
（１）少なくとも１枚は，表表紙の役割を担う台紙して使用する。
（２）厚めの横幅の狭い少なくとも１枚は，全体長の下からおおよそ５分の３の部分を支脚部として使用するため糊付けすることなく，上方のおおよそ５分の２の部分は，台紙に貼りつけるための糊代とする。
（３）薄めの横幅の狭い少なくとも１枚は，全体長の２分の１の部分で二つ折りにすることにより，逆Ｖ字型となった帯状の板について，両側面の外側部分を台紙及び支脚部と接合するため，両側面の下からおおよそ３分の２の部分を糊代として使用し，片側は，支脚部として使用する板状材に貼りつけ，もう片側は，台紙に貼りつける。
以上の構成からなる，台紙と支脚部で形成される支脚部の折曲部分周辺において，糊付けされない遊びの空間が生じることによりできる，丈夫でしなやかな支脚部を設けたことを特徴とする請求項１記載の簡易スタンド。